(57)【要約】【課題】組立の設計を利用して、収納ケースがより簡単に素早く実施でき、製造の品質も維持できる多層収納ケースの改良を提供する。【解決手段】フレーム１０及び数個の収納ケース２０で構成される。フレームの収納空間には、複数ペアのＬ形サポートプレート１１、１２により引出を区分けする。フレームのトップには物置トレー１３を設ける。収納ケースはフロントフェースプレート２１、リアフェースプレート２２、左と右とのサイドプレート２３、２４及び底板２５を組立てて構成される。フロントフェースプレート、リアフェースプレート及び左と右とのサイドプレートの接続端にそれぞれ４５度の斜め形状が作られ、内側面の下縁に近い所には嵌める溝を設け、底板２５が嵌められる。フロントフェースプレート中間部分には、別途作られた引き手３０を組立てて設ける。【選択図】図２
0003132329.tif 000002
【実用新案登録請求の範囲】
【請求項１】
一つのフレーム及び数個の収納ケースで構成され、前記フレームの収納空間には、複数ペアのＬ形サポートプレートを使って引出が区分けされ、別途作られた収納ケースが嵌めて設けられ、押す又は引くガイド機能が与えられ、前記フレームのトップには一つの物置トレーが設けられ、前記収納ケースはフロントフェースプレート、リアフェースプレート、左と右とのサイドプレート及び底板を組立てて構成され、前記フロントフェースプレート、リアフェースプレート及び左と右とのサイドプレートの接続端にはそれぞれ４５度の斜めの形状が作られ、お互いが垂直に組立て可能であり、前記フロントフェースプレート、リアフェースプレート及び左と右とのサイドプレートの内側面の下縁に近い所にはそれぞれ嵌める溝が設けられ、底板が嵌められて収納ケースが構成され、前記フロントフェースプレートの前の縁の中間部分には一つの別途作られた引き手が組立てて設けられ、前記引き手に組立てて設けてある取っ手には指が入り、収納ケースを押す又は引くことを軽く操作可能であり、前記収納ケースには別途作られた角の嵌める部が収納ケースのフロントフェースプレート、リアフェースプレート及び左と右とのサイドプレートの各接続部分に嵌めて定位され、前記角の嵌める部には、相互に垂直を呈するサイドプレートが設けられ、トップに延びてサイドプレートと垂直して直角に接続されるアッパープレートが設けられ、２枚のサイドプレートの縁からはそれぞれ内部へ伸びて一体成型で構成された嵌めるプレートが設けられ、前記嵌めるプレートはサイドプレートと垂直関係を呈し、前記嵌めるプレートの中間部分には更に一つの一体成型で上へ突出するラッチ部が設けられ、前記ラッチ部には弾性圧縮の余裕が与えられ、前記角の嵌める部が嵌めて設けられることに合わせて、前記収納ケースのフロントフェースプレート、リアフェースプレート及び左と右とのサイドプレートの接続端の外部縁の上側と下側とに予め一定の長さ及び深さがある嵌める溝が設けられ、上下には嵌める角の嵌める部での２枚のサイドプレートに延びて設けられた嵌めるプレートが挿入可能であり、前記嵌めるプレートの中間部分に設けてあるラッチ部を利用して嵌める溝の側壁と緊密に接触可能であり、前記角の嵌める部を利用して収納ケースに組立てて穏やかに定位可能であり、組立て方法はとても簡単であり、完全に接着剤が必要ではなく、収納ケースの組立作業を大幅に簡単化可能であり、収納ケースが素早く組立てられ、組立品質の安定性も維持可能であることを特徴とする多層収納ケース。
【請求項２】
収納ケースのフロントフェースプレートと引き手とが組立てられる場合、フロントフェースプレートと引き手の基礎プレートとに、相対的に予めピンホールが設けられ、別途作られた嵌めるユニットが嵌設可能であり、前記嵌めるユニットにはピンホールより大きい嵌める部品の表面及びピンホールを貫通可能なインサートピンが設けられ、中心には一つのインサートホールが設けられ、前記インサートピンの端部には伸びて直径がすこし大きい嵌める部分が設けられ、インサートピンには嵌める溝が設けられることで、適切に弾性圧縮の余裕が与えられ、インサートピンの末端にある嵌める部分を順調にフロントフェースプレート及び引き手の基礎プレートにあるピンホールに通過させ、別途作られたインサートユニットは嵌めるユニットのセンター・インサートホールに挿入され、前記インサートユニットには一つの前記嵌めるユニットの嵌める部品の表面をカーバ可能なアーク状のねじる部分及び嵌めるユニットのセンター・インサートホールに挿入可能なインサートバーが設けられ、前記インサートバーの末端にはより大きい末端ヘッド部が設けられ、前記末端ヘッド部を利用して嵌めるユニットのインサートピンの末端にある嵌める部分と相互に接触する状態が形成され、嵌める部分とフロントフェースプレートのピンホールの内縁との嵌める状態が維持され、引き手が収納ケースのフロントフェースプレートに素早く挿入され嵌める定位効果が得られることを特徴とする請求項１に記載の多層収納ケース。
【請求項３】
フレームのサポートプレートの水平又は垂直板面には、それぞれ予め複数の凸ポイントが設けられ、収納ケースはフレームのサポートプレートに非平面のポイントで接触可能であり、サポートプレートが収納ケースに対するサポート及び押すまたは引くガイド機能に影響しないことで、接触部分が縮減され、騒音を効果的に減少可能であり、収納ケースを押す又は引く動作がもっと静かで順調に行えることを特徴とする請求項１に記載の多層収納ケース。
【請求項４】
一つのフレーム及び数個の収納ケースで構成され、前記フレームの収納空間には、複数ペアのＬ形サポートプレートを使って引出が区分けされ、別途作られた収納ケースが嵌めて設けられ、押す又は引くガイド機能が与えられ、前記フレームのトップには一つの物置トレーが設けられ、前記収納ケースはフロントフェースプレート、リアフェースプレート、左と右とのサイドプレート及び底板を組立てて構成され、前記フロントフェースプレート、リアフェースプレート及び左と右とのサイドプレートの接続端にはそれぞれ４５度の斜めの形状が作られ、お互いが垂直に組立て可能であり、前記フロントフェースプレート、リアフェースプレート及び左と右とのサイドプレートの内側面の下縁に近い所にはそれぞれ嵌める溝が設けられ、底板が嵌められて収納ケースが構成され、前記フロントフェースプレートの前の縁の中間部分には一つの別途作られた引き手が組立てて設けられ、前記引き手に組立てて設けてある取っ手には指が入り、収納ケースを押す又は引くことを軽く操作可能であり、前記収納ケースには別途作られた角の嵌める部が収納ケースのフロントフェースプレート、リアフェースプレート及び左と右とのサイドプレートの各接続部分に嵌めて定位され、前記角の嵌める部には、相互に垂直を呈するサイドプレートが設けられ、トップに延びてサイドプレートと垂直して直角に接続されるアッパープレートが設けられ、２枚のサイドプレートの縁からはそれぞれ内部へ伸びて一体成型で構成された嵌めるプレートが設けられ、前記嵌めるプレートはサイドプレートと垂直関係を呈し、前記角の嵌める部が嵌めて設けられることに合わせて、前記収納ケースのフロントフェースプレート、リアフェースプレート及び左と右とのサイドプレートの接続端の外部縁の上側と下側とに予め一定の長さ及び深さがある嵌める溝が設けられ、上下には嵌める角の嵌める部での２枚のサイドプレートに延びて設けられた嵌めるプレートが挿入可能であり、前記角の嵌める部を利用して収納ケースに組立てて穏やかに定位可能であり、組立て方法はとても簡単であり、完全に接着剤が必要ではなく、収納ケースの組立作業を大幅に簡単化可能であり、収納ケースが素早く組立てられ、組立品質の安定性も維持可能であることを特徴とする多層収納ケース。
【考案の詳細な説明】
【技術分野】
【０００１】
本考案は、多層収納ケースの改良に関する。特に、収納ケースの組み立てにおいて簡単に嵌めれる定位構造を提供するものである。
主に予め成型された角の嵌める部を利用して、収納ケースの各サイドプレートを嵌めて定位することができる。又、その収納ケースの引き手には、嵌めるユニット及びインサートユニットの方式を用いるので、素早く組立てられるインサートと嵌める定位とで結合することができ、収納ケースの組立作業を簡単化できる。更に、そのフレームの各層にあるサポートプレートと収納ケースとの接触面には、それぞれ予め複数個の凸ポイントを設け、収納ケースのサポート及び引く効果に影響しないまま、効果的に騒音を減少でき、このような製品のたくさんの欠点を効果的に解決することができるため、この製品は産業上の利用性及び実用価値を持つ革新的な設計である。
【背景技術】
【０００２】
一般の会社員が書類及び小型の文具を収納するため、よく多層の収納ケースを収納装置として使う。その多層式の収納空間により、事務所の空間を節約でき、適切に分類して整理することで、使用する場合取り易くなり、机の表面の乱雑な現象を減少でき、良い気持ちで仕事をすることができる。
従来の多層収納ケースの設計では、主にフレームと複数個の収納ケースとを組立てて構成され、そのフレームには数層の引出しを設け、収納ケースをその上に嵌めて設け、フレームの各層空間の両側に成型されたサポートプレートを利用することで、収納ケースをサポートプし、収納ケースを押す又は引く場合のガイド及びリミットとして使われ、又、その収納ケースはフロントとリアとのフェースプレート、左と右とのサイドプレート及び一つの底板を組立てて構成され、又、そのフロントプレートにハンドルリングを設けることにより、収納ケースの押す又は引く動作を便利に操作し簡単に物品を取ることができる。上述によって、多層収納ケースの基本構造は構成される。
ただ、上述のような多層収納ケースの組立構造には以下の欠点があった。
（１）収納ケースの各サイドプレートを組立てる場合、殆ど接着剤で固定する方式をもちいるので、組立てる場合とても手間がかかり、組立の品質も維持しにくいため、その製造コストも影響されて高くなる。上述の理由により産業上利用される場合、利益効果で不利になる。
（２）その収納ケースのフロントプレートの引き手はボルトで固定されるので、比較的に不便であり、明らかにボルトの跡が残るため、全体的な美観に影響する。
（３）そのフレームのサポートプレートが平面式に収納ケースの底部及び側辺に接触するので、収納ケースを押す又は引く場合、両者とも摩擦のため過大な騒音を生じる。
言い換えれば、現有の多層収納ケースの構造設計にはいろいろな欠点があり、産業上の利用及び実用価値に対して、まだ解決しなければならいところが多い。
【考案の開示】
【考案が解決しようとする課題】
【０００３】
現有の多層収納ケースにはいろいろな問題及び欠点があり、本創作者がこの製品に関連する業界に長年の経験及び技術を持つことで、いろいろな研究改良を行った後、本考案の多層収納ケースの改良構造を開発した。その主要な目的は、組立の設計を利用して、収納ケースがもっと簡単に素早く実施でき、製造の品質も維持できることである。
本考案の別の目的は、収納ケースの引き手には、インサート及び嵌める設計を用いるため、簡単で素早く組み立てられ、その結合の跡はうまく隠され、全体の外観がもっと綺麗になることである。
本考案の別の目的は、構造組立の設計により、そのフレームのサポートプレートと収納ケースとの機能に影響しないまま、効果的にその接触部分を縮減し、その摩擦で生じる騒音を減少できることである。
【課題を解決するための手段】
【０００４】
上述の目的を達成するため、本考案の設計構造では、主に予め成型された角の嵌める部を利用して、収納ケースの各サイドプレートを嵌めて定位することができる。その収納ケースの引き手には、嵌めるユニットとインサートユニットとの方式を用いるため、素早く組立てられるインサートと嵌める定位とで結合することができ、収納ケースの組立作業を簡単化できる。更に、そのフレームの各層にあるサポートプレートと収納ケースとの接触面には、それぞれ予め複数個の凸ポイントが設けられ、収納ケースのサポート及び引く効果に影響しないまま、効果的に騒音を減少できるので、このような製品のたくさんの欠点を効果的に解決することができる。
【考案を実施するための最良の形態】
【０００５】
本考案の構造構成、技術手段及び効果について、図示または実施例に合わせて、下記でより具体的に説明する。
まず、図１の全体構造の説明図、図２〜図３の構造分解の説明図、図４〜図６の局部構造説明図及び図７〜図１０の局部構造関係の説明図を参照する。それらは、この創作のベター実施例の一つである。図に示す通り、本実施例の多層収納ケースには、主に一つのフレーム１０及び数個の収納ケース２０で構成され、そのフレーム１０の収納空間には、複数ペアのＬ形サポートプレート１１、１２を使って引出を区分けし、別途作られた収納ケース２０を嵌めて設け、適切に押す又は引くガイド機能を与え、そのフレーム１０のトップには一つの物置トレー１３を設け、その収納ケース２０はフロントフェースプレート２１、リアフェースプレート２２、左と右とのサイドプレート２３、２４及び底板２５を組立てて構成され、そのフロントフェースプレート２１、リアフェースプレート２２及び左と右とのサイドプレート２３、２４の接続端にはそれぞれ４５度の斜め形状を作ることで、お互いが垂直に組立てることができる。そのフロントフェースプレート２１、リアフェースプレート２２及び左と右とのサイドプレート２３、２４の内側面の下縁に近い所にはそれぞれ嵌める溝を設け、底板２５を嵌めて完全な収納ケース２０が構成される。そのフロントフェースプレート２１の前の縁の中間部分には、別途作られた引き手３０を組立てて設ける。引き手３０に組立て設けてある取っ手３１に指を入れ、収納ケース２０を押す又は引くことを軽く操作できる。上述によって、本実施例の多層収納ケースの基本機能構造は構成される。
【０００６】
収納ケース２０の組立成型作業を簡単化するため、本実施例では別途作られた角の嵌める部４０を収納ケース２０のフロントフェースプレート２１、リアフェースプレート２２及び左と右とのサイドプレート２３、２４の各接続部分に嵌めて定位する。その角の嵌める部４０には、主に相互に垂直を呈するサイドプレート４１、４２を設け、そのトップに延びてサイドプレート４１、４２と垂直して直角に接続されるアッパープレート４３、４４を設け、２枚のサイドプレート４１、４２の縁からそれぞれ内部へ伸びて一体成型で構成された嵌めるプレート４５、４６を設け、その嵌めるプレート４５、４６はサイドプレート４１、４２と垂直関係を呈する。更に、その嵌めるプレート４５、４６の中間部分には更に一つの一体成型で上へ突出するラッチ部４７、４８を設け、そのラッチ部４７、４８には適切な弾性圧縮の余裕を与え、その角の嵌める部４０を嵌めて設けることに合わせて、その収納ケース２０のフロントフェースプレート２１、リアフェースプレート２２及び左と右とのサイドプレート２３、２４の接続端の外部縁の上、下側に予め一定の長さ及び深さがある嵌める溝１、２を設け、上、下側には嵌める角の嵌める部４０での２枚のサイドプレート４１、４２に延びて設けられた嵌めるプレート４５、４６を挿入することができる。又、その嵌めるプレート４５、４６の中間部分に設けてあるラッチ部４７、４８を利用して、嵌める溝１、２の側壁と緊密に接触することができ、その角の嵌める部４０を利用して、収納ケース２０に組立てて穏やかに定位することができる。この組立て方法はとても簡単であり、完全に接着剤が必要ではなく、収納ケース２０の組立作業を大幅に簡単化できるため、収納ケースを素早く組立てられ、その組立品質の安定性も維持できる。
【０００７】
収納ケース２０のフロントフェースプレート２１と引き手３０とを組立てる場合、フロントフェースプレート２１と引き手３０の基礎プレート３２とに、相対的に予めピンホール２１１、３２１を設け、別途作られた嵌めるユニット３３を嵌めて設けることができる。嵌めるユニット３３に前述のピンホール２１１、３２１より大きい嵌める部品の表面３３１及びピンホール２１１、３２１を貫通できるインサートピン３３２を設け、その中心には一つのセンター・インサートホール３３３を設け、インサートピン３３２の端部には伸びて直径がすこし大きい嵌める部分３３４を設け、インサートピン３３２には嵌める溝３３５を設け、適切に弾性圧縮の余裕を与ることで、インサートピン３３２の末端にある嵌める部分３３４を順調にフロントフェースプレート２１及び引き手３０の基礎プレート３２にあるピンホール２１１、３２１を通過し、別途で作られたインサートユニット３４を嵌めるユニット３３のセンター・インサートホール３３３に挿入し、インサートユニット３４に一つの前述の嵌めるユニット３３の嵌める部品の表面３３１をカーバできるアーク状のねじる部分３４１及び嵌めるユニット３３のセンター・インサートホール３３３に挿入できるインサートバー３４２を設ける。インサートバー３４２の末端にはより大きい末端ヘッド部３４３を設け、末端ヘッド部３４３を利用して、嵌めるユニット３３のインサートピン３３２の末端にある嵌める部分３３４と相互に接触な状態を形成し、嵌める部分３３４とフロントフェースプレート２１のピンホール２１１の内縁との嵌める状態を維持することで、引き手３０を収納ケース２０のフロントフェースプレート２１に素早く挿入して嵌める定位効果が得られ、インサートユニット３４のアーク形ねじる部分３４１を利用して仕上ることで、その外観には明らかな接続跡が現れず、その全体の美観を向上することができる。
【０００８】
収納ケース２０を押す又は引く場合、フレーム１０のサポートプレート１１、１２とが摩擦して、騒音が生じることを減少するため、本実施例では、フレーム１０のサポートプレート１１、１２の水平又は垂直板面に、それぞれ予め複数の凸ポイント１４を設け、収納ケース２０をフレーム１０のサポートプレート１１、１２に非平面のポイントで接触することができ、サポートプレート１１、１２が収納ケース２０に対するサポート及び押す又は引くガイド機能に影響しないことで、接触部分を縮減するため、騒音を効果的に減少でき、収納ケース２０の押す又は引く動作がより静かで順調に行える。
【０００９】
図１１、図１２を参照する。本実施例の収納ケース２０を組立てる場合、前述の実施例のように、フロントフェースプレートとリアフェースプレートとを左、右サイドプレートと分離式で組立てるほか、その製品の素材により、フロントフェースプレート２１を左と右とのサイドプレート２３、２４と一体成型で加工する方法も使える。それは、フロントフェースプレート２１と左及び右のサイドプレート２３、２４との接続部分をカットしない設計を呈させて、その接続部分に、それぞれマッチングする斜面を設け、収納ケース２０を組立てる場合、左と右とのサイドプレート２３、２４及びフロントフェースプレート２１を組立てて、相互に垂直状態を呈させ、前述の角の嵌める部４０を利用して、上、下から挿入して嵌めることで定位し、順序によって底板２５とリアフェースプレート２２とを組立てることで、別の実施例による収納ケース２０の組立が完了する。
【００１０】
上述の説明によって、本考案は構造組立の設計により、別途作られた角の嵌める部を収納ケースの各サイドプレートの接続端に予め作られた嵌める溝に合わせて組立てることにより、素早く収納ケースを組立てられ、良い組立品質を維持することができる。又、引き手を収納ケースのフロントフェースプレートに素早く挿入して嵌めることで定位し、フレームのサポートプレートを収納ケースの接触面に予め作られた凸ポイントを利用して、押す又は引く時の騒音を効果的に減少することは、このような製品のたくさんの欠点を解決し、産業上の利用性及び実用価値に優れる長所があり、素晴らしい革新的な設計と認められるものである。
【００１１】
上述によって、本考案の多層収納ケースの改良は、確かに効果的に収納ケースの組立作業を簡単化でき、良い組立品質も得られる。又、収納ケースを押す又は引く場合に生じる騒音を減少することもできる。全体的に、確実にこのような収納ケースが産業での利用性及び実用価値を大幅に向上でき、素晴らしい革新的な設計として、法律に従って実用新案登録の請求を提出するものである。
【図面の簡単な説明】
【００１２】
【図１】本考案の一実施例における多層収納ケースの改良の全体構造を示す斜視図である。
【図２】本考案の一実施例における多層収納ケースの改良の全体構造を示す分解斜視図である。
【図３】本考案の一実施例における多層収納ケースの改良の構造を示す分解説明図である。
【図４】本考案の一実施例における多層収納ケースの改良の角の嵌める部の局部構造を示す斜視図である。
【図５】本考案の一実施例における多層収納ケースの改良の収納ケースと引き手の局部構造を示す分解説明図である。
【図６】本考案の一実施例における多層収納ケースの改良の収納ケースとフレームとの局部構造を示す説明図である。
【図７】本考案の一実施例における多層収納ケースの改良の角の嵌める部と収納ケースとの局部構造関係を示す説明図である。
【図８】本考案の一実施例における多層収納ケースの改良の角の嵌める部と収納ケースとを別の方向から見た局部構造関係を示す説明図である。
【図９】本考案の一実施例における多層収納ケースの改良の収納ケースと引き手との局部構造関係を示す断面図である。
【図１０】本考案の一実施例における多層収納ケースの改良の収納ケースとフレームとの局部構造関係を示す断面図である。
【図１１】本考案の別の実施例における多層収納ケースの改良を示す斜視図である。
【図１２】本考案の別の実施例における多層収納ケースの改良の構造を示す分解斜視図である。
【符号の説明】
【００１３】
１：嵌める溝、２：嵌める溝、１０：フレーム、１１：サポートプレート、１２：サポートプレート、１３：物置トレー、１４：凸ポイント、２０：収納ケース、２１：フロントプレート、２２：リアフェースプレート、２１１：ピンホール、２３：サイドプレート、２４：サイドプレート、２５：底板、３０：引き手、３１：取っ手、３２：基礎プレート、３２１：ピンホール、３３：嵌めるユニット、３３１：嵌める部品の表面、３３２：インサートピン、３３３：センター・インサートホール、３３４：嵌める部分、３３５：嵌める溝、３４：インサートユニット、３４１：ねじる部分、３４２：インサートバー、３４３：末端ヘッド部、４０：角の嵌める部、４１：サイドプレート、４２：サイドプレート、４３：アッパープレート、４４：アッパープレート、４５：嵌めるプレート、４６：嵌めるプレート、４７：ラッチ部、４８：ラッチ部
【図１】
0003132329.tif 000003
【図２】
0003132329.tif 000004
【図３】
0003132329.tif 000005
【図４】
0003132329.tif 000006
【図５】
0003132329.tif 000007
【図６】
0003132329.tif 000008
【図７】
0003132329.tif 000009
【図８】
0003132329.tif 000010
【図９】
0003132329.tif 000011
【図１０】
0003132329.tif 000012
【図１１】
0003132329.tif 000013
【図１２】
0003132329.tif 000014